(57)【要約】【課題】溶剤やアルコールや他の容易に蒸発する流体を収納する用途に適用する密閉容器を提供する。【解決手段】長尺状の密閉容器であり、その端部近傍に一つまたは一つ以上の打開手段を有し、且つ密閉容器内に二つの仕切り空間を形成し、流体をその間で流動できるようにし、その内部に例えば溶剤やアルコールなどの流体を収納でき、それらの流体の蒸発を防止できる密閉容器を提供する。【選択図】　　図１
0003098444.tif 000002
【実用新案登録請求の範囲】
【請求項１】
長尺状ケーシングを有し、両端部が封止され、且つ端部に近接する部位に一つ以上の例えば綿ボールまたはスポンジなどの吸収性物質によって覆われる予定打開手段を有する容器と、
前記容器内に設けられ、容器の内部を多くのアルコール、香水または高揮発性の流体の自由流動を許容する仕切空間を仕切る分割手段と、を備え、
アルコール、香水または高揮発性の流体を保存する用途に利用され、前記アルコール、香水または高揮発性の流体が前記例えば綿ボールまたはスポンジなどの吸収性物質によって覆われる予定打開手段より解放されるまで保存することを特徴とする、密閉容器。
【請求項２】
長尺状ケーシングを有し、両端部が封止され、且つ端部に近接する部位に一つ以上の例えば綿ボールまたはスポンジなどの吸収性物質によって覆われる予定打開手段を有する容器と、
前記容器内に設けられ、容器の内部を多くの流体の自由流動を許容する仕切空間を仕切る分割手段と、を備え、
流体を保存する用途に利用され、前記流体が前記例えば綿ボールまたはスポンジなどの吸収性物質によって覆われる予定打開手段より釈放されるまで流体を保存し、かつ、前記予定打開手段としてカット痕を利用し、当該カット痕が容易にブレーク打開されてその密閉容器内の流体を釈放することを特徴とする、密閉容器。
【請求項３】
長尺状のケーシングを有し、両端部が封止され、且つ端部に近接する部位に一つ以上の予定打開手段が設けられる容器と、
両端部が打開状を呈し、その直径と長さがすべて前記密閉される容器より小さく形成され、前記密閉される容器内に挿入されることによって前記容器内で二つの円柱形の仕切り空間を形成するように設定される長尺状チューブと、を備え、
前記密閉される容器内にアルコールまたは高揮発性の流体が保存され、当該アルコールまたは高揮発性の流体が自由的に前記二つの円柱形の仕切り空間同士の間で流動でき、そのアルコールまたは高揮発性の流体が前記予定打開手段より釈放されるまで流動を続けることを特徴とする、密閉容器。
【請求項４】
長尺状のケーシングを有し、両端部が封止され、且つ端部に近接する部位に一つ以上の予定打開手段が設けられる容器と、
両端部が打開状を呈し、その直径と長さがすべて前記密閉される容器より小さく形成され、前記密閉される容器内に挿入されることによって前記容器内で二つの円柱形の仕切り空間を形成するように設定される長尺状チューブと、を備え、
前記密閉される容器内に香水が保存され、当該香水が自由的に前記二つの円柱形の仕切り空間同士の間で流動でき、その香水が前記予定打開手段より釈放されるまで流動を続けることを特徴とする、密閉容器。
【請求項５】
長尺状のケーシングを有し、両端部が封止され、且つ端部に近接する部位に一つ以上の例えば綿ボールまたはスポンジなどの吸収性物質によって覆われる予定打開手段が設けられる容器と、
両端部が打開状を呈し、その直径と長さがすべて前記密閉される容器より小さく形成され、前記密閉される容器内に挿入されることによって前記容器内で二つの円柱形の仕切り空間を形成するように設定される長尺状チューブと、を備え、
前記密閉される容器内に流体が保存され、当該流体が自由的に前記二つの円柱形の仕切り空間同士の間で流動でき、その流体が前記例えば綿ボールまたはスポンジなどの吸収性物質によって覆われる予定打開手段より釈放されるまで流動を続けることを特徴とする、密閉容器。
【請求項６】
長尺状のケーシングを有し、両端部が封止され、且つ端部に近接する部位に一つ以上の例えば綿ボールまたはスポンジなどの吸収性物質によって覆われる予定打開手段が設けられる容器と、
両端部が打開状を呈し、その直径と長さがすべて前記密閉される容器より小さく形成され、前記密閉される容器内に挿入されることによって前記容器内で二つの円柱形の仕切り空間を形成するように設定される長尺状チューブと、を備え、
前記密閉される容器内に流体が保存され、当該流体が自由に前記二つの円柱形の仕切り空間同士の間で流動でき、その流体が前記例えば綿ボールまたはスポンジなどの吸収性物質によって覆われる予定打開手段より釈放されるまで流動を続け、かつ、前記予定打開手段としてカット痕を利用し、当該カット痕が容易にブレーク打開されてその密閉容器内の流体を釈放することを特徴とする、密閉容器。
【考案の詳細な説明】
【０００１】
【考案の属する技術分野】
本考案は、密閉容器に係わり、特に綿薬剤ブラシ本体として使用できる密閉容器に関する考案である。
【０００２】
【考案の背景】
流体を保存及び搬送用の容器は、普段使用される場合、多くの不便さを有し、それらの大部分が力を入れるための手段や他のツールなどによって流体を抽出する必要がある。流体は蒸発する可能性のある物質であるため、溶剤やアルコールなどの流体を保存する場合、格別に考量すべきところがある。そのため、マーケットにおいては多くのそれぞれ異なる種類の容器が現れており、それらによって各種の流体を収納する。例えば、その容器として大型の桶を使用でき、その桶によって用水を収納し、またはその容器として小さな瓶を使用でき、それによって香水を収納し、また、更なる小型の容器を使用することによって所要する流体を収納する場合もある。前記それぞれの容器は各種の適切な材料からなる物品を使用でき、各種の環境及び流体に応じて自由に選択使用できる。
【０００３】
本考案は小さくて長尺状の密閉容器を提供し、それが綿薬剤ブラシ本体として使用でき、且つ流体を収納できる手段として利用でき、当該密閉容器内に収納される流体をニーズがある場合に放出させて綿枠材ブラシの先端部にある綿ボールを濡らして使用できる。
【０００４】
【考案の目的】
本考案は、溶剤やアルコールや他の容易に蒸発する流体を収納する用途に適用する密閉容器を提供することをその主要な目的とする。
【０００５】
また、本考案は、容器内に二つの仕切り空間を形成し、その中に収納される流体を導出して使用に供することに利する密閉容器を提供することをその次の目的とする。
【０００６】
また、本考案は、流体を密閉する環境内に収納でき、他の場所へ搬送しやすい密閉容器を提供することをその他の目的とする。
【０００７】
また、本考案は、容器内に収納される流体がいずれのツールを使用しなくても単に使用者の手操作により簡単に流体を容器より放出させることができるようにする密閉容器を提供することをその他の目的とする。
【０００８】
また、本考案は、綿薬剤ブラシとして使用でき、容器内における流体をニーズがある場合に放出させて前期綿薬剤ブラシの先端部における綿ボールを濡らして使用者の塗布操作に供できる密閉容器を提供することをその他の目的とする。
【０００９】
【考案の開示】
前記のそれぞれの目的を図るために、本考案は、長尺状の密閉容器であり、その端部近傍に一つまたは一つ以上の打開手段を有し、且つ密閉容器内に二つの仕切り空間を形成し、流体をその間で流動できるようにし、その内部に例えば溶剤やアルコールなどの流体を収納でき、それらの流体の蒸発を防止できる密閉容器を提供する。
【００１０】
以下に添付図面を参照しながら本考案の好適な実施の形態を詳細的で具体的に説明する。
【００１１】
【考案の実施の形態】
図１に示すように、本考案による密閉容器には、主に、密閉容器１を有し、当該容器１のケーシングが長尺状に形成されると共に、その両端部が封止され、且つ端部に近接する部位に予定打開手段２を有し、当該予定打開手段２としてカット痕を利用でき、使用者はそのカット痕に沿って密閉容器１を折って打開させることができる。
【００１２】
また、長尺状チューブ３を有し、当該長尺状チューブ３が前記密閉容器１内に挿入され、それによって容器１内を二つの円柱形仕切り空間を仕切ることができ、当該長尺状チューブ３の両端部がオープンされ、その直径と長さがすべて密閉容器１より小さく設定される。
【００１３】
また、流体４を含み、当該流体４が前記容器１内に封止され、予定打開手段２が打開される場合こそその流体４を解放し、その流体としてアルコールや香水や高揮発性の流体４などを適用できる。本実施の形態において、綿ボール５を打開手段２によって密閉容器１を包囲する両端部に付着し、密閉容器１より解放される流体４を吸収する。
【００１４】
図２は本考案の密閉容器の第二の実施の形態であり、そのうち、前記密閉容器１内に分割手段６が配置され、当該分割手段６の長さと幅とがすべて密閉容器１のより小さく設定され、それによって密閉容器１内を二つの仕切り空間を形成するように分割し、密閉容器１内の流体４がその容器内の二つの仕切り空間の間で流動できるように設定する。
【００１５】
本考案による密閉容器１は、蒸発しやすい流体４、例えば溶剤やアルコールなどを密閉環境内に収納できるので、その蒸発することを防止でき、且つ単にカット痕に沿って予定打開手段２を折るだけで密閉容器１をオープンでき、流体４をいずれの予定打開手段２より容易に綿ボール５を濡らさせるように流出させることができる。本考案の二つの仕切り空間を有しない場合、流体４が密閉容器１の直径が小さいことと毛細作用によることと大気圧力による影響によって密閉容器１より解放不能となる。
【００１６】
【考案の効果】
本考案による密閉容器は他の従来技術と相互に比較する場合、さらに下記のような優れる点を有する。
一、本考案は、溶剤やアルコールや他の蒸発しやすい流体を収納することに適用できる。
二、本考案は、容器内部を二つの仕切り空間を形成するように仕切ることができるので、流体が大気圧力と毛細作用による影響を受けなくなり、気軽に密閉容器より流出することができる。
三、本考案は、いずれの補助用ツールを使用する必要はなく、容易に容器を打開でき、その内部に充填される流体を容器外へ流出させて使用者の使用に供することができる効果を有する。
四、本考案は、流体を密閉の環境内に収納できるので、他の場所へ容易に運べる。
五、本考案は、綿薬剤ブラシ本体として使用でき、その容器内の流体がニーズのある場合に綿薬剤ブラシにおける綿ボールに解放させることができ、使用者が気軽に使用できるようになっている。
【００１７】
前記に詳細的に説明したのは、単に本考案の実施可能な実施例に過ぎなく、本考案の主張範囲を狭義的に制限するものではなく、本考案の技術精神に基づいて実施される相同効果の変更や実施などがすべて本考案の主張範囲内に納入されるべきことが言うまでもないことである。
【００１８】
前記に説明したように、本考案は技術思想において確実に新しい創作に属し、且つ従来物より前記のそれぞれの優れる点を有し、既に新規性と進歩性を備える法定の考案の要件を満たす。
【図面の簡単な説明】
【図１】本考案の密閉容器の第一の実施の形態を示す説明図である。
【図２】本考案の密閉容器の第二の実施の形態を示す説明図である。
【符号の説明】
１　　　　密閉容器
２　　　　予定打開手段
３　　　　長尺状チューブ
４　　　　流体
５　　　　綿ボール
６　　　　分割手段
【図１】
0003098444.tif 000003
【図２】
0003098444.tif 000004